(57)【要約】【課題】情報の漏洩を防止できる再発行機能を有する切断装置付き印刷装置を提供する。【解決手段】情報Ｄが印刷された単票用紙Ｐを発行する切断装置４０付き印刷装置１００であって、前記単票用紙Ｐが再搬送されるとともに、前記切断装置４０が設けられる部分を共通経路５として構成される単票用紙搬送経路３と、前記単票用紙搬送経路３に設けられ前記単票用紙Ｐの前記情報Ｄを読取る情報読取り部３０と、前記情報Ｄを格納するメモリー部９４と、前記メモリー部９４の前記情報Ｄの読み出しを制限する認証処理部９６とを備え、前記情報読取り部３０で処分対象の単票用紙Ｐ１の前記情報Ｄを読取り前記メモリー部９４に格納して、前記切断装置４０で前記単票用紙Ｐ１を裁断廃棄する。前記単票用紙Ｐ１を再発行する場合は、前記認証処理部９６でユーザー認証し前記メモリー部９４から前記情報Ｄを読み出し前記印刷部１０で印刷して再発行する再発行機能を有する。【選択図】図１
2010188566.tif 000002
【特許請求の範囲】
【請求項１】
ロール紙が搬送されるロール紙搬送経路と、前記ロール紙搬送経路に沿って設けられ、前記ロール紙に情報を印刷する印刷部と、前記情報が印刷された前記ロール紙を所定の長さに切断する切断装置とを有し、前記情報が印刷された前記ロール紙を単票用紙として発行する切断装置付き印刷装置であって、
発行済の前記単票用紙の挿入が可能であり、前記ロール紙搬送経路の少なくとも前記切断装置が設けられる部分を共通経路として構成される単票用紙搬送経路と、
前記単票用紙搬送経路に沿って設けられ、前記単票用紙に印刷された前記情報を読取る情報読取り部と、
前記情報読取り部で読取られた前記情報を格納するメモリー部と、
前記メモリー部に格納された前記情報の読み出しを制限する認証処理部と、を備え、
前記情報読取り部で、発行済であり前記単票用紙搬送経路から搬送された前記単票用紙に印刷されている前記情報を読取り、前記メモリー部に前記情報を格納して、前記切断装置で前記単票用紙を裁断して廃棄するとともに、
廃棄済の前記単票用紙の再発行を行う場合は、前記認証処理部でユーザーを認証し前記メモリー部から前記情報を読み出して、前記印刷部で前記ロール紙に前記情報を印刷して再発行することを特徴とする再発行機能を有する切断装置付き印刷装置。
【請求項２】
前記情報読取り部で読取られ前記メモリー部に格納される前記情報は、前記情報に含まれる項目もしくは付番によって識別されることを特徴とする請求項１に記載の再発行機能を有する切断装置付き印刷装置。
【請求項３】
前記認証処理部は、文字認証もしくは生体認証によってユーザーを認証し、前記情報の読み出しを許可することを特徴とする請求項１または２に記載の再発行機能を有する切断装置付き印刷装置。
【請求項４】
再発行された前記単票用紙は、再発行であることを示す表記が印刷されていること特徴とする請求項１乃至３のいずれか一項に記載の再発行機能を有する切断装置付き印刷装置。
【請求項５】
ロール紙が搬送されるロール紙搬送経路と、前記ロール紙搬送経路に沿って設けられ、前記ロール紙に情報を印刷する印刷部と、前記情報が印刷された前記ロール紙を所定の長さに切断する切断装置とを有し、前記情報が印刷された前記ロール紙を単票用紙として発行する切断装置付き印刷装置を用いた単票用紙の再発行方法であって、
発行済の前記単票用紙を、情報読取り部を備えるとともに前記ロール紙搬送経路の少なくとも前記切断装置が設けられる部分を共通経路として構成される単票用紙搬送経路に搬送する単票用紙搬送工程と、
前記情報読取り部により、前記単票用紙に印刷された前記情報を読取る情報読取り工程と、
前記情報読取り工程によって得られた前記情報をメモリー部に格納する情報格納工程と、
前記メモリー部に格納された前記情報の読み出しを許可するか否かを決定するユーザー認証工程と、を備え、
前記情報読取り工程で発行済であり前記単票用紙搬送経路から搬送された前記単票用紙に印刷されている前記情報を読取り、前記メモリー部に前記情報を格納して、前記切断装置で前記単票用紙を裁断して廃棄するとともに、
廃棄済の前記単票用紙の再発行を行う場合は、前記ユーザー認証工程でユーザーを認証し前記メモリー部から前記情報を読み出して、前記印刷部で前記ロール紙に前記情報を印刷して再発行することを特徴とする単票用紙の再発行方法。
【請求項６】
前記情報読取り工程で読取られ前記メモリー部に格納される前記情報は、前記情報に含まれる項目もしくは付番によって識別されることを特徴とする請求項５に記載の単票用紙の再発行方法。
【請求項７】
前記ユーザー認証工程では、文字認証もしくは生体認証によってユーザーを認証し、前記情報の読み出しを許可することを特徴とする請求項５または６に記載の単票用紙の再発行方法。
【請求項８】
再発行された前記単票用紙は、再発行であることを示す表記が印刷されていること特徴とする請求項５乃至７のいずれか一項に記載の単票用紙の再発行方法。
【発明の詳細な説明】
【技術分野】
【０００１】
本発明は、再発行機能を有する切断装置付き印刷装置およびそれを用いた単票用紙の再発行方法に関する。
【背景技術】
【０００２】
機密情報など重要な情報が記載されている用紙を処分する場合は、機密漏洩を防ぐため様々な対応が行われている。一般には、シュレッダーを用いて機密情報が記載された用紙を細かく裁断し判読困難な状態にして廃棄している。ところが、一旦廃棄した後にその情報が必要になることがある。そのため、近年、用紙に記載されている情報を読取ってデータ記録部に記録して、必要に応じ表示部で表示したりプリンターで印刷するシュレッダー装置が提案されている（例えば、特許文献１参照）。
【先行技術文献】
【特許文献】
【０００３】
【特許文献１】特開２００４−１６０３１３号公報
【発明の概要】
【発明が解決しようとする課題】
【０００４】
しかし、本来は判読不可にしたかった用紙であり、機密性が高い情報が記載されている場合が多い。そのため、容易に情報が再現できることは好ましくない。上述のシュレッダー装置は、機密情報の漏洩を防ぐための手法が記載されていない。
【課題を解決するための手段】
【０００５】
本発明は、上述の課題の少なくとも一部を解決するためになされたものであり、以下の形態または適用例として実現することが可能である。
【０００６】
（適用例１）ロール紙が搬送されるロール紙搬送経路と、前記ロール紙搬送経路に沿って設けられ、前記ロール紙に情報を印刷する印刷部と、前記情報が印刷された前記ロール紙を所定の長さに切断する切断装置とを有し、前記情報が印刷された前記ロール紙を単票用紙として発行する切断装置付き印刷装置であって、発行済の前記単票用紙の挿入が可能であり、前記ロール紙搬送経路の少なくとも前記切断装置が設けられる部分を共通経路として構成される単票用紙搬送経路と、前記単票用紙搬送経路に沿って設けられ、前記単票用紙に印刷された前記情報を読取る情報読取り部と、前記情報読取り部で読取られた前記情報を格納するメモリー部と、前記メモリー部に格納された前記情報の読み出しを制限する認証処理部と、を備え、前記情報読取り部で、発行済であり前記単票用紙搬送経路から搬送された前記単票用紙に印刷されている前記情報を読取り、前記メモリー部に前記情報を格納して、前記切断装置で前記単票用紙を裁断して廃棄するとともに、廃棄済の前記単票用紙の再発行を行う場合は、前記認証処理部でユーザーを認証し前記メモリー部から前記情報を読み出して、前記印刷部で前記ロール紙に前記情報を印刷して再発行することを特徴とする再発行機能を有する切断装置付き印刷装置。
【０００７】
この構成によれば、切断装置付き印刷装置は、情報を印刷した単票用紙を発行することができるとともに、単票用紙を細かく裁断して機密情報の漏洩を防止しつつ廃棄することができる。また、廃棄される単票用紙に記載されている情報を情報読取り部で読取り、その情報をメモリー部に格納することができる。廃棄された単票用紙の復元が必要な場合は、認証処理部においてユーザー認証を行い一致した場合のみ、単票用紙の再発行を行うことができる。すなわち、この印刷装置は、１台で単票用紙の印刷発行、切断装置による裁断しての廃棄、および必要な場合は単票用紙を再発行することができる。また、単票用紙の再発行の実施に際してユーザー認証を行うため、機密情報の漏洩を防止することができる。
【０００８】
（適用例２）前記情報読取り部で読取られ前記メモリー部に格納される前記情報は、前記情報に含まれる項目もしくは付番によって識別されることを特徴とする上記の再発行機能を有する切断装置付き印刷装置。
【０００９】
この構成によれば、メモリー部に格納される情報群から必要な情報を容易に特定することができる。
【００１０】
（適用例３）前記認証処理部は、文字認証もしくは生体認証によってユーザーを認証し、前記情報の読み出しを許可することを特徴とする上記の再発行機能を有する切断装置付き印刷装置。
【００１１】
この構成によれば、パスワード等の文字情報や指紋等の生体情報によってユーザーを認証することができ、機密情報の漏洩を防止することができる。
【００１２】
（適用例４）再発行された前記単票用紙は、再発行であることを示す表記が印刷されていること特徴とする上記の再発行機能を有する切断装置付き印刷装置。
【００１３】
この構成によれば、再発行された単票用紙を原本と区別できるとともに特定することができ、機密情報の管理に寄与することができる。
【００１４】
（適用例５）ロール紙が搬送されるロール紙搬送経路と、前記ロール紙搬送経路に沿って設けられ、前記ロール紙に情報を印刷する印刷部と、前記情報が印刷された前記ロール紙を所定の長さに切断する切断装置とを有し、前記情報が印刷された前記ロール紙を単票用紙として発行する切断装置付き印刷装置を用いた単票用紙の再発行方法であって、発行済の前記単票用紙を、情報読取り部を備えるとともに前記ロール紙搬送経路の少なくとも前記切断装置が設けられる部分を共通経路として構成される単票用紙搬送経路に搬送する単票用紙搬送工程と、前記情報読取り部により、前記単票用紙に印刷された前記情報を読取る情報読取り工程と、前記情報読取り工程によって得られた前記情報をメモリー部に格納する情報格納工程と、前記メモリー部に格納された前記情報の読み出しを許可するか否かを決定するユーザー認証工程と、を備え、前記情報読取り工程で発行済であり前記単票用紙搬送経路から搬送された前記単票用紙に印刷されている前記情報を読取り、前記メモリー部に前記情報を格納して、前記切断装置で前記単票用紙を裁断して廃棄するとともに、廃棄済の前記単票用紙の再発行を行う場合は、前記ユーザー認証工程でユーザーを認証し前記メモリー部から前記情報を読み出して、前記印刷部で前記ロール紙に前記情報を印刷して再発行することを特徴とする単票用紙の再発行方法。
【００１５】
この方法によれば、切断装置付き印刷装置を用いて、情報を印刷した単票用紙を発行することができるとともに、単票用紙を細かく裁断して機密情報の漏洩を防止しつつ廃棄することができる。また、廃棄される単票用紙に記載されている情報を情報読取り工程で読取り、その情報をメモリー部に格納することができる。廃棄された単票用紙の復元が必要な場合は、ユーザー認証工程においてユーザー認証を行い一致した場合のみ、単票用紙の再発行を行うことができる。すなわち、この方法は、１つの印刷装置を用いて、単票用紙の印刷発行、裁断しての廃棄、および必要な場合は単票用紙を再発行することができる。また、単票用紙の再発行においてユーザー認証を行うため、機密情報の漏洩を防止することができる。
【００１６】
（適用例６）前記情報読取り工程で読取られ前記メモリー部に格納される前記情報は、前記情報に含まれる項目もしくは付番によって識別されることを特徴とする上記の単票用紙の再発行方法。
【００１７】
この方法によれば、メモリー部に格納される情報群から必要な情報を容易に特定することができる。
【００１８】
（適用例７）前記ユーザー認証工程では、文字認証もしくは生体認証によってユーザーを認証し、前記情報の読み出しを許可することを特徴とする上記の単票用紙の再発行方法。
【００１９】
この方法によれば、パスワード等の文字情報や指紋等の生体情報によってユーザーを特定することができ、機密情報の漏洩を防止することができる。
【００２０】
（適用例８）再発行された前記単票用紙は、再発行であることを示す表記が印刷されていること特徴とする上記の単票用紙の再発行方法。
【００２１】
この方法によれば、再発行された単票用紙を原本と区別できるとともに特定することができ、機密情報の管理に寄与することができる。
【図面の簡単な説明】
【００２２】
【図１】サーマルプリンターの概略断面を示す断面図。
【図２】印刷部の構成を示す図。
【図３】紙カット部を説明する図。
【図４】サーマルプリンターの主要構成を示すブロック図。
【図５】ロール紙に対する印刷方法の流れを示すフローチャート。
【図６】単票用紙に印刷される印刷例を示す図。
【図７】発行済の単票用紙に対する切断方法の流れを示すフローチャート。
【図８】廃棄された単票用紙を再発行する再発行方法の流れを示すフローチャート。
【図９】再発行された単票用紙の印刷例を示す図。
【発明を実施するための形態】
【００２３】
以下、本実施形態を、図面を参照して説明する。なお、以下の説明で参照する図面では、説明および図示の便宜上、部材ないし部分の縦横の縮尺を実際のものとは異なるように表す場合がある。
【００２４】
（印刷装置の全体構成について）
本実施形態の印刷装置としてサーマルプリンターを適用した例を、図１〜３を参照して説明する。サーマルプリンターは、微小発熱素子が直線的に配置されたサーマルヘッドを有している。サーマルヘッドに配置された微小発熱素子は、通電により選択的に発熱する。そして、この熱エネルギーがロール紙および単票用紙としての感熱紙に含まれる発色剤と選択的に反応することにより、感熱紙上に種々の情報を印刷する。
【００２５】
このサーマルプリンターは、ＰＯＳシステムや発券システム等に用いられ、レシート、クーポンや金券等種々の情報を印刷して発行することに適用される。サーマルプリンターは、ロール状の感熱紙からなるロール紙を使用して、このロール紙に所望の情報を印刷して単票用紙として発行する。図１は、サーマルプリンターの概略断面を示す断面図である。図２は、印刷部の構成を示す図である。図３は紙カット部を説明する図である。なお、図１に示すＹ方向は、印刷部１０における感熱紙Ｔの紙送り方向を示し、Ｘ方向はＹ方向と直交する方向を示す。
【００２６】
図１に示すように、サーマルプリンター１００は、外装ケース部２００と、プリンター機構部３００と、制御装置４００とを備えている。プリンター機構部３００は、制御装置４００とともに外装ケース部２００に収容される。詳しくは、外装ケース部２００の下部に制御装置４００が配置され、その上部にプリンター機構部３００が配置される。プリンター機構部３００は、印刷部１０と、紙搬送機構２０と、情報読取り部３０と、切断装置としての紙カット部４０と、ロール紙収容部５０とを備えている。制御装置４００は、基板等からなる制御部４１０を備えている。
【００２７】
紙搬送機構２０は、紙供給経路としてロール紙搬送経路２と単票用紙搬送経路３とを有している。ロール紙搬送経路２は、ロール紙Ｒが収容されるロール紙収容部５０を始点とし、外装ケース部２００の図１中のＹ方向上部に設けられた紙挿入排出口２００ａを終点として一部湾曲した形状に形成され、ロール紙Ｒの感熱紙Ｔを搬送する。ロール紙搬送経路２は、感熱紙Ｔの搬送経路に沿って順に、感熱紙Ｔを挟持し図示しない紙送りモーターを駆動源として回転駆動する一対の紙送りローラー２１と、感熱紙Ｔの有無もしくは端面を検出する紙検出器２３と、印刷部１０と、紙挿入排出口２００ａ近傍に設けられ感熱紙Ｔをカットする紙カット部４０とを備えている。また、印刷部１０の上流側および下流側には、紙ガイド２２および紙ガイド２４が設けられ、搬送される感熱紙Ｔをガイドする。
【００２８】
単票用紙搬送経路３は、外装ケース部２００の上部に位置する上記紙挿入排出口２００ａから図１中のＹ方向に沿ってほぼ直線上に形成され、印刷済の感熱紙Ｔからなる単票用紙Ｐを搬送する。単票用紙搬送経路３は、紙挿入排出口２００ａからＹ方向に沿って順に、上記紙カット部４０と、単票用紙Ｐの有無もしくは端面を検出する単票検出器２６と、単票用紙Ｐを挟持し、図示しない単票送りモーターを駆動源として回転駆動する一対の単票送りローラー２７と、後述する情報読取り部３０とを備えている。
上述のように、ロール紙搬送経路２と単票用紙搬送経路３とは、印刷部１０より図１中Ｙ（＋）方向上部から紙挿入排出口２００ａまでを共通経路５として共有している。
【００２９】
図１に示すように、印刷部１０は、共通経路５のＹ（−）方向にロール紙搬送経路２に沿って設けられ、サーマルヘッド１と、プラテン１２と、ヘッド保持機構１４と、ヘッド退避機構１６とを備えている。
図２（ａ）に示すように、サーマルヘッド１は、サーマルヘッド基板７０と、ドライバーＩＣ７１と、フレキシブルなケーブルであるＦＰＣ７２と、放熱板７３と、を有している。サーマルヘッド基板７０は、絶縁材料からなり長矩形の板状に形成され、複数の発熱素子７４からなる発熱素子列７４ａが、一方の長辺側の端部に近い位置に形成されている。ドライバーＩＣ７１は、発熱素子７４を選択的に発熱駆動させる制御回路を単一のＩＣチップとして構成したものであり、サーマルヘッド基板７０に、発熱素子列７４ａと平行して、列状に配設されている。
【００３０】
ＦＰＣ７２は、一端をサーマルヘッド基板７０に設けられた図示しない接続端子に接続され、サーマルプリンター１００を制御する図１に示す制御部４１０と接続されている。放熱板７３は、アルミニウム等の引き抜き材で長矩形形状に形成されている。サーマルヘッド基板７０は、放熱板７３の係止面７３ａに接着剤等で貼り付けられている。また、放熱板７３の両側面には、ヘッド支持軸７５が設けられている。
【００３１】
図２（ｂ）に示すように、ヘッド保持機構１４は、保持フレーム６０と、ヘッド押圧板６２と、バネ６３とから構成されている。サーマルヘッド１は、図２（ａ）に示すヘッド支持軸７５が保持フレーム６０の係合穴６０ａに挿入され、保持フレーム６０に取り付けられる。ヘッド押圧板６２には、圧縮コイルバネであるバネ６３が固定されている。このヘッド押圧板６２は、保持フレーム６０の切り欠き部６０ｂに取り付けられる。
【００３２】
このようにすることによって、サーマルヘッド１とヘッド押圧板６２とは、保持フレーム６０に互いに略平行状態で保持される。ヘッド押圧板６２に固定されるバネ６３は、サーマルヘッド１の放熱板７３の背面に当接する。このバネ６３によりサーマルヘッド１はプラテン１２方向に付勢される。
【００３３】
ヘッド退避機構１６は、サーマルヘッド１を保持した保持フレーム６０が取り付けられるベース６５と、ベース６５を図中Ｘ方向に往復移動させるベース移動機構６７とを有している。ベース移動機構６７は、例えば、ラック・アンド・ピニオン機構等が好適に適用される。ベース６５にラック６７ａを設け、ラック６７ａと係合するピニオン歯車６７ｂを図示しないモーターにより回転させることによって、ベース６５、すなわち、保持フレーム６０に保持されたサーマルヘッド１を図中Ｘ方向に往復移動させることができる。
【００３４】
プラテン１２は、ゴム等の弾性部材により円筒形のローラー状に形成され、図示しないプラテン軸受を介してプリンター機構部３００に回転可能に支持されている。プラテン１２には、上述のヘッド退避機構１６およびヘッド保持機構１４により、図２（ａ）に示すサーマルヘッド１の発熱素子列７４ａが所定の圧力で押圧され密着する。また、プラテン１２は、図示しないプラテンモーターを駆動源として回転駆動される。
【００３５】
以上の構成により、サーマルプリンター１００は、感熱紙Ｔをサーマルヘッド１とプラテン１２とによって所定の圧力で挟持し、プラテン１２を回転させて感熱紙Ｔを送りながら、サーマルヘッド１の発熱素子７４を選択的に通電して任意の発熱素子７４を発熱させることができる。その結果、感熱紙Ｔ上の発色層を発色させ、感熱紙Ｔに任意の情報を印刷することができる。
【００３６】
情報読取り部３０は、図１に示すように、単票用紙搬送経路３の単票送りローラー２７の近傍に共通経路５に沿って設けられている。情報読取り部３０は、ＣＩＳ（Contact Image Sensor；コンタクトイメージセンサー）やＣＣＤ（電荷結合素子）等の光学式の画像読取り素子を備えたスキャナー装置２８を備えている。このスキャナー装置２８は、複数の画像読取り素子がライン状に配置され、単票用紙Ｐに印刷された情報を画像読取り素子ごとに、すなわちピクセルごとに読取ることができる。
【００３７】
紙カット部４０は、図１に示すように、外装ケース部２００に設けられた紙挿入排出口２００ａの近傍に設けられている。また、図３（ａ），（ｂ）に示すように、紙カット部４０は、紙挿入排出口２００ａの紙通過口４１を挟んで一方に可動刃４２および図示しない可動刃駆動手段を、他方に固定刃４３を備えている。なお、図３（ａ），（ｂ）に示すＸ方向およびＹ方向は、図１に示すＸ方向およびＹ方向と同一な方向を示し、Ｚ方向は、Ｘ方向およびＹ方向と直交する方向を示す。
【００３８】
可動刃４２は、薄い刃物鋼で略長方形に形成され１つの長辺には複数の山形の刃４２ａが形成されている。さらには、連続した山形の刃４２ａは、略中央近傍に凹形の切り欠き部４２ｂが形成されている。可動刃４２は駆動手段により、紙挿入排出口２００ａを通過する感熱紙Ｔの面に対して直交する方向（ｇ方向）に移動する。そして、可動刃４２と固定刃４３が互いに交叉することによって感熱紙Ｔは横方向（図中Ｚ方向）に切断され分割される。この紙カット部４０は、可動刃４２と固定刃４３とが略平行に交叉する、いわゆるギロチン方式の紙カッターである。
【００３９】
複数の山形の刃４２ａには凹形の切り欠き部４２ｂが形成されているため、山形の刃４２ａによって切断される感熱紙Ｔは、凹形の切り欠き部４２ｂが当接する部分が切り残し部Ｔａとなる。すなわち、図３（ｃ）に示すように、切断された感熱紙Ｔ１，Ｔ２，Ｔ３は、それぞれバラバラにはならず、切り残し部Ｔａでそれぞれつながった状態になる。
【００４０】
この可動刃４２と固定刃４３との待機時の隙間は、感熱紙Ｔが通過する紙挿入排出口２００ａに連結しており、感熱紙Ｔおよび単票用紙Ｐが通過することができる。なお、固定刃４３の上部には、固定刃カバー４６が設けられている。また、感熱紙Ｔを切断しない時は、可動刃４２は紙カット部４０の内部に収納されており、可動刃４２の刃部は露出しない。
【００４１】
また、外装ケース部２００の上面の一部には、ユーザーが操作する操作部３８および液晶等からなる表示部３９が設けられている。操作部３８には、図示しない廃棄処分ボタン、再発行ボタン、およびキーボード等が設けられている。
【００４２】
（印刷装置の制御について）
次に、印刷装置としてのサーマルプリンターの制御系について、図４を参照して説明する。図４はサーマルプリンターの主要構成を示すブロック図である。サーマルプリンター１００は、サーマルヘッド１とプラテン１２等からなる印刷部１０、ロール紙Ｒおよび単票用紙Ｐを搬送する紙搬送機構２０、紙カット部４０、情報読取り部３０、紙検出器２３および単票検出器２６とを有するプリンター機構部３００と、操作部３８と、これらを統括制御する制御装置４００と、を備えている。
【００４３】
制御装置４００は、制御系の主要部となる制御部４１０と、サーマルヘッド１を駆動制御するヘッドドライバー８０と、プラテン１２、ヘッド退避機構１６、紙搬送機構２０および紙カット部４０を駆動するモータードライバー８２と、インターフェース部８４とを備えている。制御部４１０は、ＣＰＵ（Central Processing Unit）９０と、情報処理部９２と、メモリー部９４を備えている。ＣＰＵ９０は、操作部３８および図示しない操作系や検出系からの入力信号処理、印刷処理、紙カット処理等の各種処理を実行する。情報処理部９２は、認証処理部９６等を含んだ構成を有している。情報処理部９２は、認証番号、パスワード等によるユーザーの認証情報等の各種情報を処理する。
【００４４】
メモリー部９４は、ＲＡＭ（Random Access Memory）９８、ＲＯＭ（Read-Only Memory）９７、Ｆｌａｓｈ  ＲＯＭ９９などを含んだ構成を有している。ＲＡＭ９８は、情報読取り部３０で読取られた発行済の単票用紙Ｐに印刷された情報等の読取り情報や、ホストコンピューター８５からインターフェース部８４を介して入力される印刷データ等の各種データを一時的に格納したり、ＣＰＵ９０によって実行される印刷処理等のプログラムを一時的に展開したりする。ここで、印刷データは、サーマルヘッド１でロール紙Ｒや単票用紙Ｐに印刷もしくは描画すべきパターンを指示するものであり、パターンがビットマップ状に表現されている。
【００４５】
ＲＯＭ９７は、例えば不揮発性半導体メモリーで構成され、サーマルヘッド１の駆動周波数や駆動電圧を制御する駆動制御プログラムおよびサーマルヘッド１のエネルギーの印加履歴や印刷状態を管理する管理プログラム等の他、ＣＰＵ９０が実行する各種のプログラムが格納されている。Ｆｌａｓｈ  ＲＯＭ９９は、例えば、書換え可能であり一時的にデータを保存する不揮発可能な半導体メモリーで構成され、ユーザーの認証番号やパスワード等の認証情報および付加情報等の一定期間保存される各種データが格納される。
【００４６】
ヘッドドライバー８０は、ＣＰＵ９０からの指令に基づいて、サーマルヘッド１の各発熱素子７４を個別またはグループ別に制御する。モータードライバー８２は、ＣＰＵ９０からの指令に基づいて、プラテン１２、ヘッド退避機構１６、紙搬送機構２０および紙カット部４０のそれぞれのモーターを個別に制御する。インターフェース部８４は、ホストコンピューター８５から受け取った印刷データを制御部４１０に出力したり、制御部４１０から受け取った各種情報をホストコンピューター８５に出力したりする。
【００４７】
（印刷方法について）
次いで、本実施形態に係る印刷方法について、図５および図６を参照して説明する。図５は、ロール紙に対する印刷方法の流れを示すフローチャートであり、図６は、単票用紙に印刷される印刷例を示す図である。
【００４８】
まず、上述のサーマルプリンター１００を用い、ロール紙Ｒに対して情報を印刷して単票用紙Ｐとして発行する印刷方法について説明する。これらの処理は、図４に示す制御装置４００の指令、制御により行われる。図５に示すように、この印刷方法は、ロール紙搬送工程Ｓ１と、ロール紙検出工程Ｓ２と、印刷工程Ｓ３と、ロール紙カット工程Ｓ４と、単票発行工程Ｓ５と、を有する。
【００４９】
ロール紙Ｒに対して情報を印刷する場合は、図１に示すように、サーマルプリンター１００のロール紙収容部５０に収容されたロール紙Ｒの感熱紙Ｔの先端Ｔ０が、ロール紙搬送経路２（共通経路５）において、サーマルヘッド１を越えて紙挿入排出口２００ａ近傍の紙ガイド２４に至り、紙カット部４０で切断された状態にある。このとき、ロール紙Ｒの感熱紙Ｔは、一対の紙送りローラー２１同士間、サーマルヘッド１とプラテン１２との間および一対の単票送りローラー２７同士間に挟持されている。この状態で、図４に示すホストコンピューター８５から印刷の指令が発せられる。
【００５０】
図５に示すロール紙搬送工程Ｓ１では、図４に示す制御装置４００のモータードライバー８２からの制御信号により紙送りモーター、プラテンモーターおよび単票送りモーターが駆動され、図１に示す紙送りローラー２１、プラテン１２が図中矢印ｃ方向、単票送りローラー２７が図中矢印ｅ方向に回転する。その結果、感熱紙Ｔは、ロール紙搬送経路２および共通経路５に沿って、矢印ｄ方向に所定の速度で搬送される。
【００５１】
図５に示すロール紙検出工程Ｓ２では、図１に示す紙検出器２３を用い、サーマルヘッド１の近傍に感熱紙Ｔがあるか否かを検出する。これは、図２（ａ）に示すサーマルヘッド１が感熱紙Ｔが無い状態で発熱駆動した場合に発生する発熱素子７４の焼損およびプラテン１２の表面の劣化を防止するためである。感熱紙Ｔがあることを確認して次の工程Ｓ３に進む。
【００５２】
図５に示す印刷工程Ｓ３では、図１に示すプラテン１２を回転させて感熱紙Ｔを送りながら、サーマルヘッド１に配置された発熱素子７４を、図４に示すヘッドドライバー８０からの駆動信号に基づいて選択的に通電して所定の発熱素子７４を発熱させる。このときの駆動信号は、ホストコンピューター８５から指示される情報に基づいて生成される。このことによって、感熱紙Ｔには、情報が印刷される。
【００５３】
図５に示すロール紙カット工程Ｓ４および単票発行工程Ｓ５では、図４に示す制御装置４００のモータードライバー８２からの制御信号により、図３（ａ），（ｂ）に示す紙カット部４０の駆動手段を駆動させ、可動刃４２を固定刃４３方向に移動させ互いに交叉させる。そのことによって、ロール紙Ｒの感熱紙Ｔは、所定の長さに切断され、単票用紙Ｐとして発行される。単票用紙Ｐが発行された場合、ユーザーは必要に応じ、前述の単票用紙Ｐの切り残し部Ｔａを手でカットし１枚ずつ手に入れる。その結果、例えば、図６に示すように、情報Ｄが印刷された単票用紙Ｐ１を得ることができる。この単票用紙Ｐ１は、例えば、くじ等の払い戻しに用いられる帳票を示す例であり、情報Ｄとして、払い戻し日Ｄａ、発行番号Ｄｂ、当選番号Ｄｃ・・・・等が印刷されている。
【００５４】
（単票用紙の切断方法について）
次いで、上述のサーマルプリンター１００を用い、発行済かつ処分対象の単票用紙Ｐ１を切断する切断方法について図７および図８を参照して説明する。図７は、発行済の単票用紙に対する切断方法の流れを示すフローチャートである。
【００５５】
図７に示すように、この切断方法は、操作部３８からのカット信号の入力を開始とし、ヘッドおよびロール紙退避工程Ｓ１１と、単票検出工程Ｓ１２と、単票搬入工程Ｓ１３と、情報読取り工程Ｓ１４と、情報格納工程Ｓ１５と、紙送り反転工程Ｓ１６と、紙カット工程Ｓ１７と、紙搬出工程Ｓ１８とを有する。
まず、ユーザーが機密情報が印刷されている単票用紙Ｐ１の処分を意図して操作部３８の図示しない廃棄処分ボタンを押す。そのことにより本切断作業が開始される。これらの作業は、図４に示す制御装置４００の指令、制御により行われる。
【００５６】
図７に示すヘッドおよびロール紙退避工程Ｓ１１では、単票用紙搬送経路３（共通経路５）にあるロール紙Ｒを退避させる。図４に示す制御装置４００のモータードライバー８２からの制御信号により、図１に示すヘッド退避機構１６のモーターを駆動してサーマルヘッド１を図１中のＸ（−）方向に移動させる。そして、紙送りローラー２１を矢印ｃ’方向に、単票送りローラー２７を矢印ｅ’方向に回転させる。その結果、感熱紙Ｔは、ロール紙搬送経路２に沿って矢印ｄ’方向に搬送され、単票用紙搬送経路３から退避する。なお、感熱紙Ｔが、単票用紙搬送経路３から退避したか否かの判定は、紙検出器２３が感熱紙Ｔの先端Ｔ０を感知したか否かによって判定する。
【００５７】
図７に示す単票検出工程Ｓ１２では、処分対象の単票用紙Ｐ１が、サーマルプリンター１００の紙挿入排出口２００ａに挿入されたか否かを検出する。紙挿入排出口２００ａに挿入された単票用紙Ｐ１は、図１に示す単票検出器２６により先端が検出される。なお、単票検出器２６は反射式の光学検出器である。
【００５８】
図７に示す単票搬入工程Ｓ１３では、挿入された単票用紙Ｐ１を図１に示す単票用紙搬送経路３に沿って矢印ｍ方向、すなわちサーマルプリンター１００の内部に搬入する。この処理は、単票検出器２６の検出信号に基づき、図４に示すモータードライバー８２からの制御信号により、単票送りローラー２７を図中矢印ｅ’方向に回転させることによって行われる。
【００５９】
図７に示す情報読取り工程Ｓ１４および情報格納工程Ｓ１５では、図１に示す単票用紙搬送経路３に沿って搬送される単票用紙Ｐ１に印刷された情報Ｄを、スキャナー装置２８を用いて読取る。このスキャナー装置２８は、複数の画像読取り素子がライン状に配置されており、単票用紙Ｐ１に印刷された情報Ｄを、ライン状の画像読取り素子ごとに、すなわちピクセルごとに読取る。この読取り結果は、図４に示す制御部４１０のメモリー部９４のＲＡＭ９８等に展開され、読取った発行番号を識別番号として付与され読取りデータＤ１として記憶される。
【００６０】
図７に示す紙送り反転工程Ｓ１６では、図１中ｍ方向に搬入され情報Ｄの内容が読取られた単票用紙Ｐ１を、図１中ｍ’方向、すなわち搬出方向に移動させる。この処理は、図４に示すモータードライバー８２からの制御信号により、単票送りローラー２７を図中矢印ｅ方向に回転させることによって行われる。
【００６１】
図７に示す紙カット工程Ｓ１７では、紙カット部４０を用いて搬出方向に搬送される単票用紙Ｐ１の印刷部分を図６中Ｙ方向に所定の間隔を空けて必要回数切断する。すなわち、単票用紙Ｐ１は、機密情報としての情報Ｄａ〜Ｄｅが印刷された部分が切断され判読困難な状態になる。なお、図３（ａ）に示す紙カット部４０の可動刃４２は、連続した山形の刃４２ａの略中央近傍に凹形の切り欠き部４２ｂが形成されているため、切断された各紙片ｔがバラバラにはならず、図３（ｃ）に示すように切り残し部Ｔａでそれぞれつながった状態になっている。
【００６２】
図７に示す紙搬出工程Ｓ１８では、印刷部分が切断され情報Ｄが判読困難な状態になるとともに、各紙片ｔが切り残し部Ｔａでそれぞれつながった状態になった単票用紙Ｐ１がＹ（＋）方向に搬送され、サーマルプリンター１００の紙挿入排出口２００ａから排出される。なお、この切り残し部Ｔａは、切断された紙片ｔを取り扱う上でほとんどが切断される。このようにして、処分対象の単票用紙Ｐ１は細かく裁断され、情報Ｄが判読困難な状態になり廃棄される。
【００６３】
（単票用紙の再発行方法について）
ここで、上述のサーマルプリンター１００を用い、細かく裁断され廃棄された単票用紙Ｐ１を再発行する再発行方法について図８および図９を参照して説明する。図８は、裁断され廃棄された単票用紙を再発行する再発行方法の流れを示すフローチャートであり、図９は、再発行された単票用紙の印刷例を示す図である。
【００６４】
図８に示すように、この再発行方法は、操作部３８からの再発行信号の入力を開始とし、ユーザー認証工程Ｓ２１と、再発行データ選択工程Ｓ２２と、上述の印刷方法と同じく、ロール紙搬送工程Ｓ１と、ロール紙検出工程Ｓ２と、印刷工程Ｓ３と、ロール紙カット工程Ｓ４と、単票発行工程Ｓ５とを有する。
【００６５】
まず、ユーザーが既に裁断され処分された単票用紙Ｐ１の再発行を意図して操作部３８の図示しない再発行ボタンを押す。そのことにより本再発行作業が開始される。これらの作業は、図４に示す制御装置４００の指令、制御により行われる。
【００６６】
図８に示すユーザー認証工程Ｓ２１では、操作部３８の図示しない表示部でユーザー認証のための情報、例えばパスワードの入力を促す。ユーザーが操作部３８の図示しないキーボードからパスワードを入力すると、入力されたパスワードが、図４に示す制御部４１０のメモリー部９４の、例えばＦｌａｓｈ  ＲＯＭ９９に登録されているパスワードと一致するか否かを判定する。一致しない場合（ＮＯ）は、何の作業も実施せず終了する。一致した場合（ＹＥＳ）は、次の工程に進む。
【００６７】
図８に示す再発行データ選択工程Ｓ２２では、操作部３８の表示部で、再発行を求める単票用紙Ｐ１を選択するための情報、例えば発行番号の入力を促す。ユーザーが操作部３８のキーボードから発行番号を入力すると、入力された指定の単票用紙Ｐ１の発行番号に基づき、図４に示す制御部４１０のメモリー部９４のＲＡＭ９８に格納されている該当する読み取りデータＤ１を選択する。そして、次の工程に進む。
【００６８】
以降、図８に示すように、選択された読み取りデータＤ１を印刷データとして用い、前述の印刷方法と同様にロール紙搬送工程Ｓ１、ロール紙検出工程Ｓ２、印刷工程Ｓ３、ロール紙カット工程Ｓ４および単票発行工程Ｓ５を経て、ロール紙Ｒに対して読み取りデータＤ１を印刷して図９に示す単票用紙Ｐ１’として発行する。
【００６９】
原本の単票用紙Ｐ１は、判読不可にしたかった用紙であり、機密性が高い情報が記載されている場合が多い。容易に発行されることは機密情報の漏洩防止の観点から好ましくない。そのため、図９に示すように、この単票用紙Ｐ１’には、再発行であることを示す印刷パターン、例えば「再発行」のロゴが上書きされている。このロゴ印刷は、例えば図４に示すＦｌａｓｈ  ＲＯＭ９９に、予め付加情報として画像データが格納されており、再発行の指示がでた場合に読み取りデータＤ１に付加して印刷データを作成するとよい。また、メモリー部９４で再発行の回数を記憶して、再発行の指示がでた場合は、ロゴ印刷パターンを再発行の回数に応じて、例えば「再発行」、「再発行３回」・・・等使い分けることが好ましい。
【００７０】
さらには、容易に複数回発行されることも機密情報の漏洩防止の観点から好ましくない。従って、再発行の回数をメモリー部９４に記憶して、所定の回数以上の再発行を禁止することが好ましい。
【００７１】
以下、本実施形態の効果を記載する。
（１）上述のサーマルプリンター１００は、情報Ｄを印刷した単票用紙Ｐ１を発行することができるとともに、単票用紙Ｐ１を細かく裁断して機密情報の漏洩を防止しつつ処分することができる。また、処分される単票用紙Ｐ１に記載されている情報Ｄを情報読取り部３０で読取り、その情報Ｄを個々に識別した状態でメモリー部９４に格納することができる。処分された単票用紙Ｐ１の復元が必要な場合は、認証処理部９６においてパスワード等でユーザー認証を行い一致した場合のみ、単票用紙Ｐ１の再発行を行うことができる。そのため、単票用紙Ｐ１に記載された機密情報の漏洩を十分防止することができる。
【００７２】
（２）上述のサーマルプリンター１００は、ロール紙搬送経路２と単票用紙搬送経路３とを備え、それら搬送経路の一部を共通とする共通経路５を有している。その共通経路５に情報読取り部３０および紙カット部４０が設けられている。この構成によって、サーマルプリンター１００は、ロール紙Ｒに情報Ｄを印刷して単票用紙Ｐ１として発行することができるとともに、処分対象の単票用紙Ｐ１に印刷された情報Ｄを紙カット部４０により細かく裁断することにより、判別困難な状態にすることができる。さらには、情報読取り部３０で情報Ｄを読取りメモリー部９４に格納して、ユーザー認証を実施して再発行することができる。すなわち、１つのサーマルプリンター１００で、機密情報の漏洩防止を確保しつつ、単票用紙Ｐ１の印刷発行、廃棄および再発行を行うことができる。そのため、スペースの有効活用および設備コストの低減が図れる。
【００７３】
（３）上述のサーマルプリンター１００は、再発行された単票用紙Ｐ１’に対して、再発行されたことを示すロゴを印刷することができ、原本である単票用紙Ｐ１と区別することができる。そのため、機密情報の管理を強化することができ、機密情報の漏洩防止に寄与することができる。
【００７４】
（４）上述のサーマルプリンター１００は、単票用紙Ｐ１の再発行の回数を規定することができる。そのため、機密情報の管理を強化することができ、機密情報の漏洩防止に寄与することができる。
【００７５】
以上、本発明の実施形態について説明したが、上記実施形態に対しては、本発明の趣旨から逸脱しない範囲で様々な変形を加えることができる。例えば上記実施形態以外の変形例は、以下の通りである。
【００７６】
（変形例１）上記実施形態では、ユーザー認証情報としてパスワードを採用した場合を例にとり説明したが、これに限定されない。ユーザー認証情報は、指紋等による生体認証であってもよいし、特定のコマンドであってもよい。登録されている情報と照合して一致するか否かを判定できるものであればよい。また、上記実施形態で説明した情報Ｄおよび再発行であることを示す印刷パターンは、１実施例でありこれに限定されない。様々な変形、応用が考えられる。また、再発行を求める単票用紙Ｐ１を選択するための情報は、単票用紙Ｐ１の発行番号Ｄｂに限定されない。情報読取り部３０で読取った情報Ｄに連番を付してその番号を用いてもよい。また、情報Ｄａ〜Ｄｅを順次入力して絞り込んでいき、求める読み取り情報を特定してもよい。
【００７７】
（変形例２）上記実施形態は、再発行機能を有する切断装置付き印刷装置をスタンドアローン的に使用する場合を例にとり説明したが、これに限定されない。ユーザーの操作は、図４に示すホストコンピューター８５で行ってもよい。また、読取られた読取りデータＤ１は、制御部４１０からインターフェース部８４を介してホストコンピューター８５に送られ、ホストコンピューター８５のメモリー部に格納されてもよい。さらには、複数のホストコンピューター８５でネットワークを構成するとともにサーバーを設け、そのサーバーに格納してもよい。
【００７８】
（変形例３）上記実施形態では、印刷装置がサーマルプリンター１００の場合を例にとり説明したが、これに限定されない。印刷装置は、インクジェット方式のプリンターであってもよいし、電子写真方式のプリンターであってもよい。
【符号の説明】
【００７９】
１…サーマルヘッド、２…ロール紙搬送経路、３…単票用紙搬送経路、５…共通経路、１０…印刷部、１２…プラテン、２０…紙搬送機構、３０…情報読取り部、３８…操作部、３９…表示部、４０…切断装置としての紙カット部、５０…ロール紙収容部、９４…メモリー部、９６…認証処理部、１００…サーマルプリンター、２００…外装ケース部、３００…プリンター機構部、４００…制御装置、４１０…制御部、Ｄ，Ｄａ〜Ｄｅ…情報、Ｄ１…読取りデータ、Ｐ，Ｐ１…単票用紙、Ｔ…感熱紙、Ｔａ…切り残し部、Ｒ…ロール紙。
【図１】
2010188566.tif 000003
【図２】
2010188566.tif 000004
【図３】
2010188566.tif 000005
【図４】
2010188566.tif 000006
【図５】
2010188566.tif 000007
【図６】
2010188566.tif 000008
【図７】
2010188566.tif 000009
【図８】
2010188566.tif 000010
【図９】
2010188566.tif 000011